(57)【要約】【課題】梁主筋の移動と結合数を最小にすると共に梁主筋の移動形態を簡略にすることで、柱・梁結合の施工効率を向上させる既設柱に対するＰＣ梁の施工方法を提供する。【解決手段】本発明による半ＰＣ梁の施工方法は、梁上端主筋２の端部を予め一方の梁端部の近傍に片寄せて成る半ＰＣ梁１を柱間に架設し、次いで、直交方向の半ＰＣ梁端部１５を梁上端主筋が梁端部の近傍に片寄せられた一方側の柱上に落とし込み、しかる後に、梁端部の近傍に片寄せておいた梁上端主筋２を半ＰＣ梁１の他方側の柱上に直交方向の半ＰＣ梁端部１５が落とし込めるまで移動させてから、次の直交方向の半ＰＣ梁端部１５を他方側の柱上に落とし込み、その後に、移動させた梁上端主筋２を柱・梁接合部領域内の所定の位置まで反転移動させている。【選択図】  図３
2004197491.tif 000002
【特許請求の範囲】
【請求項１】
両端部から突出する長さの梁上端主筋を上部が露出された肋筋の内側に移動可能に挿入している半ＰＣ梁を、柱上端部から長尺の柱主鉄筋を突出させて成る連設の柱間に架設する半ＰＣ梁の施工方法であって、梁上端主筋の端部を予め一方の梁端部の近傍に片寄せて成る半ＰＣ梁を柱間に架設し、次いで、直交方向の半ＰＣ梁端部を梁上端主筋が梁端部の近傍に片寄せられた一方側の柱上に落とし込み、しかる後に、梁端部の近傍に片寄せておいた該梁上端主筋を半ＰＣ梁の他方側の柱上に直交方向の半ＰＣ梁端部が落とし込めるまで移動させてから直交方向の半ＰＣ梁端部を他方側の柱上に落とし込み、その後に、移動させた該梁上端主筋を柱・梁接合部領域内の所定の位置まで反転移動させることを特徴とする半ＰＣ梁の施工方法。
【請求項２】
梁上端主筋の端部を予め一方の梁端部の近傍に片寄せて成る半ＰＣ梁を、連設する柱群の一方端から他方端までの柱間に順次に架設し、次いで、最初の直交方向の半ＰＣ梁端部を梁上端主筋が梁端部の近傍に片寄せられた側の一方端の柱上に落とし込んだ後に、梁端部の近傍に片寄せておいた梁上端主筋を半ＰＣ梁の他方側の柱上に直交方向の半ＰＣ梁が落とし込めるまで移動させて次の柱上に直交方向の半ＰＣ梁端部を落とし込み、しかる後に、次の梁上端主筋を同様に移動させて直交方向の半ＰＣ梁端部を落とし込む作業を連設する柱群の他方端の柱上に最後の直交方向の半ＰＣ梁端部を落とし込むまで反復させ、その後に、移動させた梁上端主筋を柱・梁接合部領域内の所定の位置まで反転移動させることを特徴とする請求項１に記載の半ＰＣ梁の施工方法。
【請求項３】
梁上端主筋が、柱・梁接合部領域内の所定の位置まで反転移動された後に相互間を一体に接合されることを特徴とする請求項２に記載の半ＰＣ梁の施工方法。
【発明の詳細な説明】
【０００１】
【発明の属する技術分野】
本発明は、半ＰＣ梁の施工方法に関し、特に、ハーフＰＣ梁や外郭ＰＣ梁等の半ＰＣ梁を施工する場合に梁上端主筋の移動と結合数を最小にし、半ＰＣ梁の施工において梁上端主筋の移動形態を簡略にすることで施工効率を向上させる半ＰＣ梁の施工方法に関する。
【０００２】
【従来の技術】
柱と半ＰＣ梁の結合において、ハーフＰＣ梁もしくは外郭ＰＣ梁等の半ＰＣ梁を使用するプレハブ建築工法では、半ＰＣ梁が、そのコンクリート部分にフープ型のせん断補強筋の一部やこれに直交する方向の梁下端主筋を必要に応じて埋設すると共に、コンクリート部分の上面に露出させたせん断補強筋の内部に梁上端主筋を予め挿通させて仮止めしており、施工にあたっては、半ＰＣ梁を連設する柱間に架設し、しかる後に隣接する半ＰＣ梁の移動させた梁上端主筋と梁下端主筋とをそれぞれに連結すると共に所定のスラブ配筋を行って後にコンクリートを打設して、柱と梁及び床スラブを一体化させている。
【０００３】
従って、フープ型せん断補強筋は、現場打設のコンクリートで半ＰＣ梁と柱、スラブ床との一体化を行うために、梁上端主筋と組み合わせる閉鎖型のものが要求されることから、梁上端筋をフープ型せん断補強筋の内側に挿通するのに横方向から差し入れなければならず、極めて面倒な配筋作業を必須にすることから、この問題点を改良するための提案がなされている。
【０００４】
【特許文献１】
特許第２７００７４０号公報（第２頁、段落「００１０」〜「００１３」、図１、）
【０００５】
又、連設する柱に半ＰＣ梁部材をＴ字状に載置して隣接する半ＰＣ梁部材と柱間において結合する場合では、梁の中央部において現場打ちコンクリートで結合することになるために、梁の中央部に型枠支保工の設置を必要とする等、プレキャスト化による利益が失われる。又、連設する柱間に架設した半ＰＣ梁部材を柱・梁結合部領域内において結合する場合には、半ＰＣ梁部材はその端部が柱部材上に載置され、柱・梁結合部領域内で隣接する半ＰＣ梁部材同士の結合が行われるために、隣接する半ＰＣ梁部材双方の梁下端主筋を柱部材上の狭隘な柱・梁結合部領域において互いに接続すると共に、柱部材上を通して梁上端主筋やその継手筋を配筋したうえで、柱・梁結合部領域にコンクリートを打設することになり、その際に、柱部材上端からは柱・梁結合部領域を貫通して上階側の柱部材に接続される多数の柱主筋が突出しているので、半ＰＣ梁主筋の接続作業性が悪くなり、さらに、多数の柱主筋が存在するために半ＰＣ梁を架設した後の柱・梁結合部領域には柱主筋と半ＰＣ梁主筋とが混在して柱・梁結合部領域での柱フープの配筋作業にも困雄を来している。
そこで、これらの問題解決のために下記の提案もなされているが、その施工性は完全に改善されていないのが現状である。
【０００６】
【特許文献１】
特許第３２２２８５６号公報（第２頁、段落「００１６」〜第３頁、段落「００１８」、図１、）
【０００７】
このために、従来の施工方法にあっても、配置する半ＰＣ梁を直交方向に柱に結合させる方法を改善して積極的に活用できるように検討されてきた。
【０００８】
図４はその一例であり、本例では、柱に対して互いに直交する方向の半ＰＣ梁１０は、後打ちコンクリート部に配置されるのでプレキャストコンクリート１２から上端部分が露出している肋筋に仮止めされている梁上端主筋１１とプレキャストコンクリート１２の内部に設置された梁下端主筋１３とから構成されている。
【０００９】
そして、梁上端主筋１１は、プレキャストコンクリート１２とほぼ同じ長さに加工されており、中間に位置する一般的な半ＰＣ梁１０の梁下端主筋１３は、半ＰＣ梁１０から突出した両端部１４の長さを隣接して架設される半ＰＣ梁１０−１の梁下端主筋１３と結合できる適切な長さに加工されている。
【００１０】
又、躯体の端部に位置する半ＰＣ梁１０−１の梁下端主筋１３−１は、一方端１６をプレキャストコンクリート１２の端部から伸長させて直交方向の半ＰＣ梁１５の全幅に及ぶ長さに加工すると共に、他方端１７の長さは一般的な半ＰＣ梁１０と同様に隣接して架設される半ＰＣ梁１０の梁下端主筋１３と結合できる適切な長さに加工されている。
【００１１】
図４（ａ）は、建物床面上の既設柱の上に各半ＰＣ梁１０、半ＰＣ梁１０−１を載置させる工程を示しているが、本例では、半ＰＣ梁１０−１の一つに繋ぎ主筋１８を梁上端主筋１１と共に２段に配置してある。
次いで、各半ＰＣ梁１０、半ＰＣ梁１０−１の梁下端主筋１３、梁下端主筋１３−１は、その端部間１４−１７を機械式継手結合若しくは溶接結合することで一体化を図っているが、これと同時に、躯体の端部に位置する半ＰＣ梁１０−１の梁下端主筋１３−１は、直交方向の半ＰＣ梁端部１５を既設柱上に載置するために、図示のように対応している。
【００１２】
図４（ｂ）では、最初の半ＰＣ梁１５の端部を既設柱上に載置する工程を示している。半ＰＣ梁１０−１は、半ＰＣ梁１５の端部を設置した後に梁上端主筋１１を半ＰＣ梁１５の端部の上に移動させており、正規の設定を完了させている。次いでの半ＰＣ梁１５の端部も順次に設置されて行き、躯体の反対端部に位置する半ＰＣ梁１０−１と半ＰＣ梁１５の端部との係合を残して、全ての梁上端主筋１１を正規の状態に設定している。
【００１３】
図４（ｃ）は、躯体の反対端部の柱上に半ＰＣ梁１５の端部を設置すると同時に、梁上端主筋１１の全体を必要な所定長に形成する工程を示している。
本工程では、各梁上端主筋１１が柱上に載置された半ＰＣ梁１５の端部の上に移動されることになるが、この間に最後の半ＰＣ梁１５の端部も設置されており、残っている繋ぎ主筋１８も半ＰＣ梁１５の端部の上に移動させることによって、梁上端主筋１１と繋ぎ主筋１８とで所定長さに形成されている。
【００１４】
図４（ｄ）は、半ＰＣ梁１０、１０−１を既設柱の上に載置完了させた状態を示している。
梁上端主筋１１と繋ぎ主筋１８とは、機械式継手結合若しくは溶接結合１９によって最終的な状態に形成されており、本例では、以上の工程によって柱と半ＰＣ梁の結合作業を終了させているものであって、各半ＰＣ梁の梁上端主筋１１の移動回数は１回、結合個所は柱間のスパン数で済んでいる。
【００１５】
しかしながら、本例では、繋ぎ主筋１８を別途に準備する必要があると同時に、躯体の一方の端部に位置する半ＰＣ梁１０−１の梁上端主筋１１と繋ぎ主筋１８とを２段に配置する必要があるので、施工コストと作業性が悪くなるという問題点を指摘されている。
【００１６】
図５は他の例を示しているが、本例は、上記例における繋ぎ主筋を排除することでコストの低減を図ろうとしているものである。
【００１７】
本例では、半ＰＣ梁１０’を後打ちコンクリート部に配置される梁上端主筋２０とプレキャストコンクリート１２の内部に設置された梁下端主筋１３とから構成することは、上記の例と同様であるが、梁上端主筋２０の長さがプレキャストコンクリート１２の長さに隣接する半ＰＣ梁との間隙を渡る程度の長さを加えた長さに加工されている点が異なっている。
【００１８】
図５（ａ）は、既設柱上に各半ＰＣ梁１０’、半ＰＣ梁１０’−１を載置させた工程が示されており、全ての半ＰＣ梁を載置させた後に、躯体の端部に位置する半ＰＣ梁１０’−１の梁上端主筋２０を右方に最初の移動を行って、半ＰＣ梁１５の端部を落とし込めるだけの間隙を確保している。
このために、移動した梁上端主筋２０と隣接している半ＰＣ梁１０’の梁上端主筋２０とは、図示のように２段に重合することになる。
【００１９】
尚、各半ＰＣ梁１０’、半ＰＣ梁１０’−１の梁下端主筋１３、梁下端主筋１３−１は、その端部間１４−１７を機械式継手結合若しくは溶接結合することで一体化を図っていると共に、半ＰＣ梁１０’−１の梁下端主筋１３−１の形態及び載置される直交方向の半ＰＣ梁１５の端部を準備をすることは、上記例と同様である。
【００２０】
図５（ｂ）では、最初の半ＰＣ梁１５の端部を既設柱上に載置する工程を示している。
半ＰＣ梁１０’−１の梁下端主筋１３−１側の柱上には、半ＰＣ梁１５の端部を設置するが、その後に、半ＰＣ梁１０’−１の梁上端主筋２０を半ＰＣ梁１５の端部の上を載り越えて２回目の移動をさせている。これと同時に、隣接する半ＰＣ梁１０の梁上端主筋２０は右方に最初の移動をさせており、これら両梁上端主筋２０、２０の移動によって、次の半ＰＣ梁１５の端部を落とし込めるだけの間隙を確保している。この際にも、移動した半ＰＣ梁１０の梁上端主筋２０と隣接している半ＰＣ梁１０’−１の梁上端主筋２０とが図示のように２段に重合することになる。
【００２１】
図５（ｃ）は、順次に直交方向の半ＰＣ梁１５の端部を既設柱に載置させて行く工程を示している。
本工程では、直交方向の半ＰＣ梁１５の端部を既設柱に載置した後に、左右方向に移動させていた両方の梁上端主筋２０を載置した半ＰＣ梁１５の端部の上に戻すように移動させている。この際の半ＰＣ梁１０’−１の梁上端主筋２０は、３回目の移動で正規の位置まで戻っているが、半ＰＣ梁１０’の梁上端主筋２０は、半ＰＣ梁１５の端部の上を載り越えて左方に移動させられると共に、反対端の半ＰＣ梁１０’−１の梁上端主筋２０を直交方向の半ＰＣ梁１５の端部の載置位置を越えて右方向に移動させることで、次の半ＰＣ梁１５の端部を落とし込めるだけの間隙を確保している。従って、移動した半ＰＣ梁１０の梁上端主筋２０と戻り移動をしてきた半ＰＣ梁１０’−１の梁上端主筋２０とが図示のように２段に重合することになる。
【００２２】
図５（ｄ）は、半ＰＣ梁１０’、１０’−１を既設柱の上に載置完了させた状態を示している。
全ての直交方向の半ＰＣ梁１５の端部を載置し終えた後には、移動させてある半ＰＣ梁１０’、１０’−１の各梁上端主筋２０を元に戻すものであり、次いで梁上端主筋２０同士を半ＰＣ梁１５の端部の上で機械式継手結合もしくは溶接結合１９によって最終的な状態に形成している。
【００２３】
本例は、以上の工程によって柱と半ＰＣ梁の結合作業を終了させているが、各半ＰＣ梁の梁上端主筋２０の移動回数は３回を必要とし、その結合個所は柱間のスパン数よりも一個少なくて済むが、梁上端主筋２０を移動させる際には、常に２段に重ねて配置する必要があることから、上記例と同様に施工コストと作業性が悪くなるという上記例と同様な問題を包含している。
【００２４】
上記の各例が問題点を発生させる要因は、図６に示しているように長尺の柱主筋２１を備える既設柱２２の上に半ＰＣ梁１０を載置する場合に、半ＰＣ梁１０の梁上端主筋１１、２０とプレキャストコンクリートの内部に設置された梁下端主筋１３、１３−１とを既設柱２２の柱主筋２１に差し込みながら既設柱２２上に裁置しなければならないためである。
【００２５】
さらに、これらの作業は、基本的にｎ＋１階以上の高所で行なわれることが多くなるために、その作業能率は極端に悪くなっており、施工コストを高騰化させる大きな要因になっていた。
【００２６】
【発明が解決しようとする課題】
本発明は、上記の問題に鑑みてそのコストを低減させるために提案するものであり、ハーフＰＣ梁もしくは外郭ＰＣ梁等の半ＰＣ梁における主筋の移動と結合数を最小にすると共に、梁上端主筋の移動形態を簡略にすることで、柱・梁接合部の施工効率を向上させる半ＰＣ梁の施工方法を提供している。
【００２７】
【課題を解決するための手段】
本発明による半ＰＣ梁の第１の施工方法は、両端部から突出する長さの梁上端主筋を上部が露出された肋筋の内側に移動可能に挿入している半ＰＣ梁を、柱上端部から長尺の柱主鉄筋を突出させて成る連設の柱間に架設する半ＰＣ梁の施工方法において、梁上端主筋の端部を予め一方の梁端部の近傍に片寄せて成る半ＰＣ梁を柱間に架設し、次いで、直交方向の半ＰＣ梁端部を梁上端主筋が梁端部の近傍に片寄せられた一方側の柱上に落とし込み、しかる後に、梁端部の近傍に片寄せておいた該梁上端主筋を半ＰＣ梁の他方側の柱上に直交方向の半ＰＣ梁端部が落とし込めるまで移動させてから直交方向の半ＰＣ梁端部を他方側の柱上に落とし込み、その後に、移動させた該梁上端主筋を柱・梁接合部領域内の所定の位置まで反転移動させることを特徴としており、半ＰＣ梁の梁上端主筋の移動回数と梁上端主筋の結合数を最小にしながら、梁上端主筋の移動形態を簡略にすることで、柱・ＰＣ梁結合の施工効率を向上させている。
【００２８】
又、本発明による半ＰＣ梁の第２の施工方法は、上記記載の半ＰＣ梁の施工方法において、梁上端主筋の端部を予め一方の梁端部の近傍に片寄せて成る半ＰＣ梁を、連設する柱群の一方端から他方端までの柱間に順次に架設し、次いで、最初の直交方向の半ＰＣ梁端部を梁上端主筋が梁端部の近傍に片寄せられた側の一方端の柱上に落とし込んだ後に、梁端部の近傍に片寄せておいた梁上端主筋を半ＰＣ梁の他方側の柱上に直交方向の半ＰＣ梁が落とし込めるまで移動させて次の柱上に直交方向の半ＰＣ梁端部を落とし込み、しかる後に、次の梁上端主筋を同様に移動させて直交方向の半ＰＣ梁端部を落とし込む作業を連設する柱群の他方端の柱上に最後の直交方向の半ＰＣ梁端部を落とし込むまで反復させ、その後に、移動させた梁上端主筋を柱・梁接合部領域内の所定の位置まで反転移動させており、梁上端主筋を柱・梁接合部領域内の所定の位置まで反転移動した後に相互間を一体に接合することを特徴としており、半ＰＣ梁の梁上端主筋の移動回数と結合数を最小にすると共に、各梁上端主筋の移動を単体の軽量状態で容易にしながらその接合作業を一括して施工することで、柱・半ＰＣ梁結合の施工効率を向上させている。
【００２９】
【発明の実施の形態】
本発明による半ＰＣ梁の施工方法は、基本的に、両端部から突出する長さの梁上端主筋を上部が露出された肋筋の内側に移動可能に挿入している半ＰＣ梁を、柱上端部から長尺の柱主鉄筋が突出させて成る連設の柱間に架設する半ＰＣ梁の施工方法において、梁上端主筋の端部を予め一方の梁端部の近傍に片寄せて成る半ＰＣ梁を柱間に架設し、次いで、直交方向の半ＰＣ梁端部を梁上端主筋が梁端部の近傍に片寄せられた一方側の柱上に落とし込み、しかる後に、梁端部の近傍に片寄せておいた該梁上端主筋を半ＰＣ梁の他方側の柱上に直交方向の半ＰＣ梁端部が落とし込めるまで移動させてから直交方向の半ＰＣ梁端部を他方側の柱上に落とし込み、その後に、移動させた該梁上端主筋を柱・梁接合部領域内の所定の位置まで反転移動させることを特徴としている。
以下に、本発明による半ＰＣ梁の施工方法の実施形態を図面に基づいて詳細に説明するが、発明の理解を容易にするために従来と同様の部位については同一の符号で表現している。
【００３０】
図１は、本発明に用いる半ＰＣ梁の実施の形態であり、図１（ａ）は、半ＰＣ梁の一実施の形態であるハーフＰＣ梁の斜視図であって、ハーフＰＣ梁１は、後打ちコンクリート部に配置される梁上端主筋２と肋筋３及びプレキャストコンクリート１２の内部に両端部をプレキャストコンクリート１２から突出させた状態で埋設された梁下端主筋１３とから構成されている。
【００３１】
本実施の形態であるハーフＰＣ梁１の梁上端主筋２は、該ハーフＰＣ梁１が柱間に架設されたとき隣接するハーフＰＣ梁との間に形成される間隙（梁・柱結合部領域）の幅を（Ｌ）とすると、その長さをプレキャストコンクリート１２の長さに幅（Ｌ）程度に及ぶ長さを加えるように加工している。そして、建方前の梁上端主筋２の配置は、その一方端がプレキャストコンクリート１２の端部に片寄せられる状態に配置しながら、プレキャストコンクリート１２の上面に露出している肋筋３の内側に移動可能に挿入されると共に、該肋筋３に仮止めされている。
【００３２】
又、図１（ｂ）は、半ＰＣ梁の他の実施形態である外郭ＰＣ梁の斜視図である。本実施の形態の外郭ＰＣ梁１’は、梁上端主筋２とＵ字形のプレキャストコンクリートから形成される外郭１２’ 及び外郭１２’の内部に上部を露出させた状態で埋設されている肋筋３と底部に両端部を外郭１２’から突出させた状態で埋設されている梁下端主筋１３から構成されている。
【００３３】
尚、梁上端主筋２は、上記実施の形態と同様に外郭１２’の端部に片寄せられる状態で配置されながら、外郭１２’の上面に露出されている肋筋３に仮止めされているが、梁下端主筋１３は、必ずしも底部に埋設されることなく、必要に応じて外郭１２’の底面上に単に配列して置くことも可能である。
【００３４】
図２は、本発明による既設柱に対する半ＰＣ梁の施工方法の基本的な実施の形態を示している。
【００３５】
本実施の形態では、図１で示した半ＰＣ梁１を吊り上げて、柱上端部から上階の床面以上に突出した長尺の柱主筋２１を備える既設柱２２の上に載置するものであるが、従来例と異なって半ＰＣ梁１の梁上端主筋２は、既設柱２２の柱主筋２１に差し込まれずにプレキャストコンクリートの内部に設置された梁下端主筋１３のみを柱主筋２１に差し込むみながら既設柱２２上に裁置するようにして柱・半ＰＣ梁の結合を容易にして施工効率の向上を図っている。
次に、本発明に従った半ＰＣ梁の施工順序を図３に基づいて説明する。
本実施の形態における半ＰＣ梁の施工方法は、図１で示したハーフＰＣ梁１を図示のように吊り上げて既設柱２２の上に載置するものであり、梁上端主筋の移動回数と梁上端主筋間の結合数を最小にすることで柱と半ＰＣ梁の結合を簡潔にしている。
【００３６】
図示のハーフＰＣ梁１−１は、躯体の端部に定着させるために梁下端主筋１３−１の端部形状を直交方向の半ＰＣ梁１５の全幅に及ぶ長さに加工し、先端部を折り曲げている点においてハーフＰＣ梁１と異にしている。
【００３７】
図３（ａ）は、連設する既設柱群の一方端から他方端までの既設柱間に各ハーフＰＣ梁１、ハーフＰＣ梁１−１を架設する工程を示している。
本工程では、全ての各ハーフＰＣ梁１、ハーフＰＣ梁１−１を載置させるのみで、ハーフＰＣ梁１の梁上端主筋２は、片寄せた儘の状態にして何らの移動もさせるものでなく、既設柱２２の柱主筋２１に差し込まれずにプレキャストコンクリートの内部に設置された梁下端主筋１３のみを柱主筋２１に差し込まれるものである。
次いで、梁下端主筋１３、１３−１は、その端部間の梁下端主筋１３の端部１４−１４、１４−１７を機械式継手結合もしくは溶接結合することで一体化を図っており、これと同時に、躯体の一方端に位置する既設柱２２の上に、直交方向のハーフＰＣ梁１５の端部を載置するための準備が図示のように成されている。
【００３８】
図３（ｂ）では、ハーフＰＣ梁１５の端部を連設する柱群の最初の一方端の既設柱上に載置して、次のハーフＰＣ梁１５の端部を次の既設柱上に載置しようとする工程を示している。
【００３９】
躯体の端部に位置する既設柱上にはハーフＰＣ梁１５の端部が設置されており、その後に、ハーフＰＣ梁１−１の梁端部の近傍に片寄せておいた梁上端主筋２を次の既設柱上に次のハーフＰＣ梁１５の端部が落とし込める間隙を形成できるまで、該最初のハーフＰＣ梁１５の上を載り越えて移動されている。
次いで、次のハーフＰＣ１５の梁端が、次の既設柱上に設置されて行くが、該当ハーフＰＣ梁１−１の梁上端主筋２は、ハーフＰＣ梁端部１５上側を載り越えさせた儘の状態で仮置きされる。
【００４０】
図３（ｃ）は、継続するハーフＰＣ梁１５の載置と梁上端主筋２を継続して移動させる工程を示している。
本工程では、次の直交方向のハーフＰＣ梁１５を次の既設柱上に載置させた後、さらに次の既設柱上に直交方向のハーフＰＣ梁１５が落とし込める間隙を形成できるように、次のハーフＰＣ梁１の梁上端主筋２を片寄せた位置より次のハーフＰＣ梁端部１５の上側を載り越えて移動させ、ハーフＰＣ梁１−１の梁上端主筋２の端部に近接させた状態で、その儘仮置きし、さらに次の既設柱上にハーフＰＣ梁１５を裁置しようとする状態を示している。
【００４１】
本例では、ハーフＰＣ梁１は１つであるが、これが複数個連設される場合は、次の既設柱上に直交方向のハーフＰＣ梁１５を落とし込み、しかる後に、次のハーフＰＣ梁１の梁上端主筋２を同様に移動させて直交方向のハーフＰＣ梁１５を落とし込む作業を連設する柱群の最終端の柱上に最後の直交方向のハーフＰＣ梁１５を落とし込むまで反復させる。
【００４２】
この図３（ｃ）では、ハーフＰＣ梁１−１の梁上端主筋２を片寄せた位置より移動させて、最終端の柱上に最後の直交方向のハーフＰＣ梁１５を落とし込む作業を残している。
【００４３】
図３（ｄ）は、連設する柱群の最終端の既設柱上に直交方向のハーフＰＣ梁端部を載置させて、各ハーフＰＣ梁の梁上端主筋を結合して一体化し、ハーフＰＣ梁の施工を完了させる工程を示している。
【００４４】
本工程では、残されている最終端の既設柱上にハーフＰＣ梁１５の端部を、載置するために、上記工程と同様にハーフＰＣ梁１−１の梁上端主筋２を最終端の一つ手前の既設柱上に裁置されたハーフＰＣ梁１５の上側を載り越えて移動させ、次いで、最終端の既設柱上にハーフＰＣ梁１５を落とし込み終えると、仮置きしている全てのハーフＰＣ梁１及びハーフＰＣ梁１―１の梁上端主筋２を、最終端の柱に近い方の梁上端主筋２から順に一本づつ反転移動させて、該梁上端主筋２の設置されるハーフＰＣ梁１又はハーフＰＣ梁１―１が架設されて成る既設柱上の柱・梁結合領域の所定の位置に該梁上端主筋２の両端部を納めると同時に、隣接する梁上端主筋２と結合できるように近接させて配置しておく。本例では、梁上端主筋２から順に一本づつ搬送し、その搬送形態を軽量にすることでその移動を容易にしている。
【００４５】
次いで、全ての梁上端主筋２は、既設柱上の柱・梁結合領域の所定の位置に設置された後、隣接する梁上端主筋２と相互間を機械式継手結合もしくは溶接結合による梁上端主筋の結合１９をして一体に構成される。隣接する梁上端主筋２の無い両端部の既設柱上では、梁上端主筋２は図示のようにハーフＰＣ梁１５の上側を載り越えてハーフＰＣ梁１５の略全幅に及ぶ長さに延在させている。
【００４６】
尚、本実施の形態では、全ての直交方向のハーフＰＣ梁１５を所定の位置に落とし込んみ、全ての梁上端主筋２をそれぞれ一本ずつ柱・梁結合領域の所定の位置に反転移動した後に、梁上端主筋の結合を一括的に施工することで結合作業の効率化を図っているが、これらの結合作業はこれに限定されるものでなく、直交方向のハーフＰＣ梁の端部を所定の位置に落とし込んだ後、次の既設柱上に直交方向のハーフＰＣ梁を落とし込む間隙を形成するため梁端部の近傍に片寄せておいた梁上端主筋の移動が行われる毎に、結合作業を実施し、一体化した梁上端主筋を柱・梁結合領域の所定の位置に反転移動することも可能である。
【００４７】
本発明による半ＰＣ梁の施工方法は、以上の工程によって柱・半ＰＣ梁の結合作業を終了させているが、梁上端主筋２の移動回数は２回、その結合個所は、柱間のスパン数−１で済むことに加えて、繋ぎ主筋を不要にし梁上端主筋同士を２段に重合させる状態も皆無にしている。
【００４８】
以上のように、本発明による半ＰＣ梁の施工方法は、上記実施の形態で説明したように構成されているので、半ＰＣ梁の梁上端主筋の移動回数と結合数を最小にすると共に、各梁上端主筋の移動を単体の軽量状態で容易にしながらその接合作業を一括して施工することで、柱・半ＰＣ梁結合の施工効率を向上させて施工コストと作業性を改善しており、従来からの問題点を解消させて柱・ＰＣ梁結合の施工効率を向上させている。
【００４９】
以上、本発明を実施の形態に基づいて詳細に説明してきたが、本発明による半ＰＣ梁の施工方法は、上記実施の形態に何ら限定されるものでなく、既製柱、半ＰＣ梁の具体的な形状等については、本発明の上記の趣旨を逸脱しない範囲において種々の変更が可能であることは当然である。
【００５０】
【発明の効果】
本発明による半ＰＣ梁の第１の施工方法は、両端部から突出する長さの梁上端主筋を上部が露出された肋筋の内側に移動可能に挿入している半ＰＣ梁を、柱上端部から長尺の柱主鉄筋が突出させて成る連設の柱間に架設する半ＰＣ梁の施工方法において、梁上端主筋の端部を予め一方の梁端部の近傍に片寄せて成る半ＰＣ梁を柱間に架設し、次いで、直交方向の半ＰＣ梁の端部を梁上端主筋が梁端部の近傍に片寄せられた一方側の柱上に落とし込み、しかる後に、梁端部の近傍に片寄せておいた該梁上端主筋を半ＰＣ梁の他方側の柱上に直交方向の半ＰＣ梁の端部が落とし込めるまで移動させてから直交方向の半ＰＣ梁の端部を他方側の柱上に落とし込み、その後に、移動させた該梁上端主筋を柱・梁接合部領域内の所定の位置まで反転移動させることを特徴としているので、半ＰＣ梁の梁上端主筋の移動回数と梁上端主筋の結合数を最小にしながら、梁上端主筋の移動形態を簡略にすることで、柱・ＰＣ梁結合の施工効率を向上できる効果を奏している。
【００５１】
又、本発明による半ＰＣ梁の第２の施工方法は、上記記載の半ＰＣ梁の施工方法において、梁上端主筋の端部を予め一方の梁端部の近傍に片寄せて成る半ＰＣ梁を、連設する柱群の一方端から他方端までの柱間に順次に架設し、次いで、最初の直交方向の半ＰＣ梁の端部を梁上端主筋が梁端部の近傍に片寄せられた側の一方端の柱上に落とし込んだ後に、梁端部の近傍に片寄せておいた梁上端主筋を半ＰＣ梁の他方側の柱上に直交方向の半ＰＣ梁が落とし込めるまで移動させて次の柱上に直交方向の半ＰＣ梁の端部を落とし込み、しかる後に、次の梁上端主筋を同様に移動させて直交方向の半ＰＣ梁の端部を落とし込む作業を連設する柱群の他方端の柱上に最後の直交方向の半ＰＣ梁端部を落とし込むまで反復させ、その後に、移動させた梁上端主筋を柱・梁接合部領域内の所定の位置まで反転移動させており、梁上端主筋を柱・梁接合部領域内の所定の位置まで反転移動した後に相互間を一体に接合することを特徴としており、半ＰＣ梁の梁上端主筋の移動回数と結合数を最小にすると共に、各梁上端主筋の移動を単体の軽量状態で容易にしながらその接合作業を一括して施工することで、柱・半ＰＣ梁結合の施工効率を向上できる効果を奏している。
【図面の簡単な説明】
【図１】本発明による既設柱に対する半ＰＣ梁の施工方法に用いるハーフＰＣ梁及び外郭ＰＣ梁の斜視図
【 図２】本発明によるハーフＰＣ梁の施工方法の基本形態図
【 図３】本発明によるハーフＰＣ梁の施工方法による工程図
【 図４】従来における半ＰＣ梁の施工図
【 図５】従来における半ＰＣ梁の他の施工図
【 図６】従来における半ＰＣ梁の基本的な施工図
【符号の説明】
１、１−１、  ハーフＰＣ梁、  １’  外郭ＰＣ梁、  ２、  梁上端主筋、
３  肋筋、  １０、１０−１、１０’、１０’−１  ハーフＰＣ梁、
１１、２０  梁上端主筋、  １２  プレキャストコンクリート、
１２’  外郭、  １３、１３−１  梁下端主筋、
１４、１６、１７  梁下端主筋の端部、  １５  直交方向のハーフＰＣ梁、
１８  繋ぎ筋、  １９  梁上端主筋の結合、  ２１  柱主筋、  ２２  既設柱、
【図１】
2004197491.tif 000003
【図２】
2004197491.tif 000004
【図３】
2004197491.tif 000005
【図４】
2004197491.tif 000006
【図５】
2004197491.tif 000007
【図６】
2004197491.tif 000008